(57)【要約】【課題】簡易な構成であることにより低コストで製造することができ、聴診器の使用者とは異なる人が聴診音を聴くことができる聴診器を提供する。【解決手段】チェストピース１０、一対のイヤピース１１ａ，１１ｂ、一対の耳管１２、一対の耳管をチェストピースと接続している接続チューブ１３を有する聴診器１に、ピックアップした機械的振動を第一電気信号に変換するマイクロフォン２１と、第一電気信号を出力するための出力端子と、入力された第二電気信号を機械的振動に変換するスピーカ２２と、スピーカに第二電気信号を入力するための入力端子とを具備させる。マイクロフォン及びスピーカは、チェストピースから接続チューブ及び耳管を介してイヤピースまで連通している内部空間に設けられている。【選択図】図１
2020092810.tif 000002
【特許請求の範囲】
【請求項１】
聴診対象者の肌に当てるチェストピースと、
使用者の耳孔に挿入される一対のイヤピースと、
一対の該イヤピースそれぞれに接続されている一対の耳管と、
一対の該耳管を前記チェストピースと接続している接続チューブと、
ピックアップした機械的振動を第一電気信号に変換するマイクロフォンと、
前記第一電気信号を出力するための出力端子と、
入力された第二電気信号を機械的振動に変換するスピーカと、
スピーカに第二電気信号を入力するための入力端子と、を備えており、
前記チェストピースから前記接続チューブ及び前記耳管を介して前記イヤピースまで連通している内部空間に、前記マイクロフォン及び前記スピーカが設けられていることにより、
前記チェストピースで集音された聴診音が前記イヤピースに伝達されると共に、前記聴診音が前記マイクロフォンにより前記第一電気信号に変換されて前記出力端子から出力される一方で、前記入力端子から入力される前記第二電気信号に基づく音声が前記スピーカを介して前記イヤピースに伝達される
ことを特徴とする聴診器。
【請求項２】
前記スピーカは、一対の前記イヤピースのうちの一方の内部に設けられている
ことを特徴とする請求項１に記載の聴診器。
【請求項３】
請求項１または請求項２に記載の聴診器の使用方法であり、
前記出力端子及び前記入力端子を、携帯電話の音声入力端子及び音声出力端子とそれぞれ接続することにより前記聴診器を前記携帯電話と接続し、
該携帯電話と、前記聴診器の使用者とは異なる第二の人物が使用する第二の携帯電話とを、携帯電話通信網を介して通話状態とすることにより、
前記聴診音を前記聴診器の使用者が前記イヤピースを介して聴取すると共に、前記マイクロフォンによって前記第一電気信号に変換された前記聴診音を、前記第二の携帯電話を介して前記第二の人物に聴取させ、
前記第二の人物の音声を、前記第二の携帯電話により前記第二電気信号に変換して前記スピーカに入力することにより前記聴診器の使用者に前記イヤピースを介して聴取させる
ことを特徴とする聴診器の使用方法。
【発明の詳細な説明】
【技術分野】
【０００１】
本発明は、聴診器、及び、その使用方法に関するものである。
【背景技術】
【０００２】
心臓、血管、肺などの発する音によって疾患の有無を判断する診察に、旧来、聴診器が使用されている。聴診器は、対象者の肌に当てるチェストピース、使用者の耳孔に挿入される一対のイヤピース、一対のイヤピースそれぞれに接続されている一対の耳管、及び、一対の耳管をチェストピースと接続している接続チューブを備えている。心音、血管音、呼吸音などの聴診音はチェストピースで集音され、接続チューブ及び耳管の内部空間を空気の振動として伝わり、イヤピースを介して聴取される。
【０００３】
近年では、チェストピースの内部で音を電気信号に変換し、変換された電気信号を無線通信で外部の記憶媒体に記憶させることにより、保存及び事後の再生を可能とした電子聴診器も実施されている。このような電子聴診器を使用することにより、聴診器の使用者とは異なる人が聴診音を聴くことができるため、例えば、単一の聴診器で集音された聴診音に基づいて複数の人が診断したり、聴診器の使用者とは離れた位置にいる人が診断したりすることができる。
【０００４】
聴診器の使用者は、一般的には医師などの専門家であるが、聴診器の使用者とは異なる人が聴診音を聴くことが可能となることにより、専門家ではない人が聴診器で集音をし、その聴診音に基づいて専門家が診断を行うことが可能となると期待される。例えば、在宅で治療や介護を受ける人自身やその人の世話をする家族や介護者、医療過疎地の住民など、専門家ではない人が聴診器を使用して集音し、その聴診音に基づいて離れた場所から医師などの専門家が診断するという診断方法が想到される。
【０００５】
しかしながら、電子聴診器は高価であるため、広く普及している状態にまでは至っていないのが実情である。特に、在宅で治療や介護を受ける人やその周辺の人など、専門家ではない人が電子聴診器を所有することは、実際的ではなかった。
【発明の概要】
【発明が解決しようとする課題】
【０００６】
そこで、本発明は、上記の実情に鑑み、簡易な構成であることにより低コストで製造することができ、聴診器の使用者とは異なる人が聴診音を聴くことができる聴診器、及び、該聴診器の使用方法の提供を、課題とするものである。
【課題を解決するための手段】
【０００７】
上記の課題を解決するため、本発明にかかる聴診器は、
「聴診対象者の肌に当てるチェストピースと、
使用者の耳孔に挿入される一対のイヤピースと、
一対の該イヤピースそれぞれに接続されている一対の耳管と、
一対の該耳管を前記チェストピースと接続している接続チューブと、
ピックアップした機械的振動を第一電気信号に変換するマイクロフォンと、
前記第一電気信号を出力するための出力端子と、
入力された第二電気信号を機械的振動に変換するスピーカと、
スピーカに第二電気信号を入力するための入力端子と、を備えており、
前記チェストピースから前記接続チューブ及び前記耳管を介して前記イヤピースまで連通している内部空間に、前記マイクロフォン及び前記スピーカが設けられていることにより、
前記チェストピースで集音された聴診音が前記イヤピースに伝達されると共に、前記聴診音が前記マイクロフォンにより前記第一電気信号に変換されて前記出力端子から出力される一方で、前記入力端子から入力される前記第二電気信号に基づく音声が前記スピーカを介して前記イヤピースに伝達される」ものである。
【０００８】
聴診器が上記構成であることにより、次のような聴診器の使用方法が可能となる。すなわち、
「前記出力端子及び前記入力端子を、携帯電話の音声入力端子及び音声出力端子とそれぞれ接続することにより前記聴診器を前記携帯電話と接続し、
該携帯電話と、前記聴診器の使用者とは異なる第二の人物が使用する第二の携帯電話とを、携帯電話通信網を介して通話状態とすることにより、
前記聴診音を前記聴診器の使用者が前記イヤピースを介して聴取すると共に、前記マイクロフォンによって前記第一電気信号に変換された前記聴診音を、前記第二の携帯電話を介して前記第二の人物に聴取させ、
前記第二の人物の音声を、前記第二の携帯電話により前記第二電気信号に変換して前記スピーカに入力することにより前記聴診器の使用者に前記イヤピースを介して聴取させる」使用方法である。
【０００９】
このような使用方法により、聴診器の使用者が聴診対象者の肌にチェストピースを当てて集音した聴診音を、聴診器の使用者とは異なる第二の人物が、携帯電話を介して聴くことができる。これにより、詳細は後述するように、専門家ではない人が聴診器を使用し、聴診対象者とは離隔した場所にいる医師等の専門家が、聴診音に基づいて診断をすることが可能となる。そして、第二の人物の音声は、第二電気信号としてスピーカに入力されるため、聴診音に基づいて専門家がした診断を、離隔した場所にいる聴診器の使用者が聞くことができる。
【００１０】
上記構成の使用方法は、聴診器自体が第一電気信号及び第二電気信号を送受信する通信装置を備えることは要請されず、携帯電話の備える音声送受信機能を利用して第一電気信号及び第二電気信号の送受信を行う。そのため、簡易な構成であり低コストで製造することができる聴診器でありながら、従来の高価な電子聴診器と同様に、聴診器の使用者とは異なる人が聴診音を聴くことができる。
【００１１】
本発明の聴診器は、上記構成に加え、
「前記スピーカは、一対の前記イヤピースのうちの一方の内部に設けられている」ものとすることができる。
【００１２】
聴診器をこのような構成とすることにより、上記のような使用方法において、第二電気信号として入力された第二の人物の音声を、スピーカを介して聴診器の使用者が聞き取り易い利点がある。この場合、マイクロフォンは、一対のイヤピースのうちの他方の内部に設ければ、第二の人物の音声との混合を避けて聴診音を第一電気信号に変換し易く望ましい。
【００１３】
或いは、マイクロフォンは、チェストピース、またはチェストピースの近傍において接続チューブの内部に設ければ、チェストピースで集音された聴診音を精度高く第一電気信号に変換し易い利点がある。
【発明の効果】
【００１４】
以上のように、本発明によれば、簡易な構成であることにより低コストで製造することができ、聴診器の使用者とは異なる人が聴診音を聴くことができる聴診器、及び、該聴診器の使用方法を、提供することができる。
【図面の簡単な説明】
【００１５】
【図１】本発明の一実施形態である聴診器の構成図である。
【図２】携帯電話通信網を使用した図１の聴診器の使用方法の説明図である。
【図３】インターネットを使用した図１の聴診器の使用方法の説明図である。
【図４】近距離無線通信を使用した図１の聴診器の使用方法の説明図である。
【発明を実施するための形態】
【００１６】
以下、本発明の具体的な実施形態である聴診器１、及び、その使用方法について説明する。まず、聴診器１の構成について図１を用いて説明する。聴診器１は、従来の聴診器と同様の基本的な構成として、聴診対象者の肌に当てるチェストピース１０と、使用者の耳孔に挿入される一対のイヤピース１１ａ，１１ｂと、一対のイヤピース１１ａ，１１ｂそれぞれに接続されている一対の耳管１２と、一対の耳管１２をチェストピース１０と接続している接続チューブ１３とを備えている。一対の耳管１２は、図示しないバネによって、互いに近接する方向に付勢されている。また、一対のイヤピース１１ａ，１１ｂには、それぞれ内部空間を外部空間と連通させる孔部１１ｈが形成されている。
【００１７】
更に聴診器１は、上記構成に加え、ピックアップした機械的振動を第一電気信号に変換するマイクロフォン２１と、第一電気信号を聴診器１から出力するための出力端子と、入力された第二電気信号を機械的振動に変換するスピーカ２２と、スピーカ２２に第二電気信号を入力するための入力端子とを備えている。
【００１８】
マイクロフォン２１は、チェストピース１０から接続チューブ１３及び耳管１２を介してイヤピース１１ａ，１１ｂまで連通している内部空間の何処かに設けられる。本実施形態では、マイクロフォン２１は、一対のイヤピース１１ａ，１１ｂのうちの一方のイヤピース１１ａの内部に設けられており、マイクロフォン２１と出力端子とを電気的に接続する第一コード２５がイヤピース１１ａから外部に引き出されている。イヤピース１１ａの内部空間はマイクロフォン２１によって塞がれている訳ではなく、耳管１２の内部空間と連通していると共に、孔部１１ｈを介して外部空間と連通している余剰の空間が存在している。
【００１９】
スピーカ２２は、チェストピース１０から接続チューブ１３及び耳管１２を介してイヤピース１１ａ，１１ｂまで連通している内部空間の何処かに設けられる。本実施形態では、スピーカ２２は、一対のイヤピース１１ａ，１１ｂのうちの他方のイヤピース１１ｂの内部に設けられており、スピーカ２２と入力端子とを電気的に接続する第二コード２６がイヤピース１１から外部に引き出されている。イヤピース１１ｂの内部空間はスピーカ２２によって塞がれている訳ではなく、耳管１２の内部空間と連通していると共に、孔部１１ｈを介して外部空間と連通している余剰の空間が存在している。
【００２０】
本実施形態では、出力端子と入力端子とは一体化されて入出力端子２８を構成しており、この入出力端子２８は、携帯電話としてのスマートフォン３０の音声入出力端子３８に、直接またはアダプタを介して接続される。ここで、スマートフォン３０は、基本的構成として、ＣＰＵ（プロセッサ）、主記憶装置、補助記憶装置、無線通信を行う通信装置を備えており、スピーカ、マイクロフォン、バッテリが内蔵されている。
【００２１】
上記構成の聴診器１では、聴診対象者の肌に当てられたチェストピース１０によって集音され、接続チューブ１３及び耳管１２の内部空間を空気の振動として伝わってきた聴診音を、イヤピース１１ａを介して聴取しつつマイクロフォン２１で第一電気信号に変換することができる。また、聴診器１の外部から入力された第二電気信号がスピーカ２２で変換された音声を、聴診音を聴取しているのと同じイヤピース１１ｂを介して、聞くことができる。
【００２２】
次に、聴診器１の具体的な使用方法について、図２乃至図４を用いて説明する。聴診器１は、その入出力端子２８をスマートフォン３０の音声入出力端子３８に接続した状態で、他のスマートフォン３０ｂ（聴診器１に接続されていないスマートフォン、第二のスマートフォン）と通話状態として使用することができる。つまり、図２に示すように、聴診器１が接続されたスマートフォン３０と他のスマートフォン３０ｂは、それぞれ最寄りの基地局６１を介して携帯電話通信網Ｎ１に接続し、互いに通信を行う。
【００２３】
これにより、聴診器１の使用者が集音した聴診音を、聴診器１の使用者とは離隔した位置にいる人（第二の人物）が、スマートフォン３０ｂを介して聴くことができる。例えば、在宅で治療や介護を受けている人自身（聴診対象者）、またはその人の世話をしている家族や介護者が、聴診対象者の肌に聴診器１のチェストピース１０を当てて聴診音を集音する場合を考える。集音された聴診音は、接続チューブ１３及び耳管１２の内部空間を空気の振動として伝わるため、イヤピース１１ａ，１１ｂを耳孔に挿入している使用者が聴診音を聴取することができる。これと同時に、聴診音はイヤピース１１ａの内部においてマイクロフォン２１によって第一電気信号に変換され、第一コード２５、入出力端子２８、及び音声入出力端子３８を経てスマートフォン３０に入力され、更にスマートフォン３０からスマートフォン３０ｂへと携帯電話通信網Ｎ１を介して伝達される。スマートフォン３０ｂでは、内蔵されたスピーカによって第一電気信号が機械的振動に変換されるため、スマートフォン３０ｂを使用している医師などの専門家（第二の人物）が、変換された聴診音を聴き取り、診断を下すことができる。
【００２４】
専門家の音声は、スマートフォン３０ｂに内蔵されたマイクロフォンによって第二電気信号に変換され、スマートフォン３０ｂからスマートフォン３０へと携帯電話通信網Ｎ１を介して伝達される。スマートフォン３０に到達した第二電気信号は、音声入出力端子３８、入出力端子２８、及び第二コード２６を経て聴診器１のスピーカ２２に入力され、機械的振動に変換される。従って、聴診器１の使用者は、スマートフォン３０ｂの使用者である専門家の音声を聞くことができる。
【００２５】
聴診器１の使用者が耳からイヤピース１１ａを外してマイクロフォン２１に向かって発声すれば、その声は第一電気信号に変換されて上記と同様にスマートフォン３０ｂまで伝達される。従って、聴診器１の使用者と専門家とは、双方向に会話を行うことができる。つまり、聴診器１の使用者は、聴診音を聴取しながら離隔している専門家の声を聞くことができ、スマートフォン３０ｂの使用者である専門家は、離隔している聴診対象者の聴診音をリアルタイムで聴取できると共に、聴診器１の使用者の声を聞くことができる。
【００２６】
聴診器１は、音声データ（第一電気信号及び第二電気信号）を送受信するための通信装置をそれ自体には備えておらず、スマートフォン３０の機能を利用して音声データを送受信する。そのため、聴診器１は構成が簡易であり低コストで製造することができるため、自宅で治療や介護を受ける人やその周囲の人など、聴診器の使用頻度が低い専門家ではない人であっても聴診器１を購入し易く、広く普及させることができる。
【００２７】
なお、本実施形態の聴診器１を使用して、離隔している専門家から診断を受ける人は、自宅で治療や介護を受ける人に限定されない。例えば、妊婦が体調に異変を感じたとき、聴診器１が接続されたスマートフォン３０を使用して医師のスマートフォン３０ｂに電話をかけ、胎児の心音などを聴いてもらうことができる。病院まで出かけて行かなくても医師の診断を受けることができるため、妊婦の身体的負担を軽減できると共に、診断を受ける頻度を高めることも可能であるため、妊婦の不安を低減することができる。
【００２８】
聴診器１の他の使用方法としては、図３に示すように、インターネットＮ２を介して音声データを送受信する方法を挙げることができる。聴診器１が接続されたスマートフォン３０は、ＷｉＦｉなどスマートフォン３０が有している無線通信機能を利用し、アクセスポイント６５を介してインターネットＮ２に接続する。
【００２９】
インターネットＮ２には、聴診アシストシステムの管理サーバ４０が接続されている。管理サーバ４０は、ＣＰＵ、主記憶装置、補助記憶装置、インターネットＮ２を介した通信を行う通信装置を備える汎用のコンピュータである。管理サーバ４０の補助記憶装置には、聴診アシストシステムのユーザ端末から送信された音声データを、ユーザ端末の識別コード、及び送信時間の情報と関連付けたデータベース４１と、種々の病気の典型的な聴診音のサンプルデータを病名と関連付けたデータベース４２が記憶されている。そして、管理サーバ４０の主記憶装置には、ユーザ端末から送信された音声データを受信してデータベース４１に加える手段、ユーザ端末から送信された要請信号に基づき、データベース４１またはデータベース４２から音声データを抽出してユーザ端末に送信する手段を含む制御手段として、プロセッサを機能させるプログラムが記憶されている。
【００３０】
一方、この聴診アシストシステムのユーザ端末は、聴診器１が接続されたスマートフォン３０であり、スマートフォン３０の主記憶装置には、管理サーバ４０との間で音声データの送受信を行う制御手段としてプロセッサを機能させるプログラムが記憶されている。
【００３１】
このような聴診アシストシステムに加入して、識別コードを付与されたユーザ端末は、聴診器１で集音された聴診音の音声データを、インターネットＮ２を介して管理サーバ４０に送信し、データベース４１に保存して管理することができる。また、ユーザ端末は、保存されている音声データの送信を求める要請信号を管理サーバ４０に送信し、これに応じて管理サーバ４０から送られた音声データを受信することができる。例えば、聴診器１のチェストピース１０を聴診対象者の肌に当て、実際の聴診音をリアルタイムで聴取しつつ、その聴診音がマイクロフォン２１により変換された音声データを管理サーバ４０に送ると共に、同じ聴診対象者の過去の聴診音の音声データをデータベース４１から抽出させて受信し、スピーカ２２で機械的振動に変換して聴くことができる。この場合、マイクロフォン２１から出力されて管理サーバ４０に送られる音声データと、管理サーバ４０から送信されてスピーカ２２に入力される音声データとは、共に同一の聴診対象者の聴診音であるが、前者の音声データが第一電気信号であり、後者の音声データが第二電気信号である。
【００３２】
このような聴診器１の使用方法により、聴診器１の使用者である専門家が、リアルタイムの聴診音と過去の聴診音とを聴き比べ、症状の変化の有無を診断することができる。また、管理サーバ４０に対して送信を要請してスピーカ２２に入力させる音声データ（第二電気信号）を、データベース４２から抽出された音声データとすることもできる。その場合、聴診器１の使用者は、実際の聴診音をリアルタイムで聴取しつつ、マイクロフォン２１を介してその音声データを管理サーバ４０に送信すると共に、典型的な聴診音のサンプルデータを受信してスピーカ２２で再生し、両者を対比することにより、病気の診断にサンプルデータを役立てることができる。なお、両者の対比に当たり、実際の聴診音と典型的な聴診音のサンプルデータとを交互に聴いても良い。
【００３３】
スマートフォン３０に接続された聴診器１の使用方法の他の態様としては、医療施設や介護施設など専門家が常駐する施設が運営している施設端末５１と、インターネットＮ２を介して音声データを送受信する使用方法を例示することができる。施設端末５１は、ＣＰＵ、主記憶装置、補助記憶装置、インターネットＮ２を介した通信を行う通信装置を備える汎用のコンピュータである。その主記憶装置には、聴診器１が接続されたスマートフォン３０から第一電気信号として送信された音声データを受信する手段、受信した音声データの増幅、雑音の除去、特定の周波数の強調などのデータ加工処理を行う手段、データ加工処理後の音声データを施設内のスピーカ５１ｓから出力させる手段、スマートフォン３０から送信された音声データ及びデータ加工処理後の音声データの双方または一方を補助記憶装置に記憶させる手段、データ加工処理後の音声データを第二電気信号としてスマートフォン３０に送信する手段を含む制御手段として、プロセッサを機能させるプログラムが記憶されている。
【００３４】
一方、スマートフォン３０の主記憶装置には、施設端末５１との間で音声データ（第一電気信号及び第二電気信号）を送受信する制御手段として、プロセッサを機能させるプログラムが記憶されている。聴診器１の使用者は、聴診対象者の実際の聴診音を聴取しつつ、マイクロフォン２１で第一電気信号に変換された音声データをスマートフォン３０から施設端末５１に送り、保存することができると共に、施設端末５１でデータ加工処理がなされた後の音声データを第二電気信号としてスマートフォン３０で受信し、スピーカ２２で再生して聴くことができる。
【００３５】
このような使用方法では、一般的な電子聴診器１とは異なり、音声データの増幅、雑音の除去、特定の周波数の強調などのデータ加工処理を行う手段を、聴診器１が備えていることを要することなく、施設端末５１が備えているデータ加工処理の機能を、聴診器１の使用者が利用することができる。聴診器１（及びその使用者）が多数であっても、データ加工処理の機能を備えた施設端末５１は一つで足りる利点がある。
【００３６】
上記では、聴診器１が接続されたスマートフォン３０をインターネットＮ２に接続して音声データを送受信する場合を例示したが、Ｂｌｕｅｔｏｏｔｈ（登録商標）など、スマートフォンの多くが有する近距離無線通信機能を利用して、他の端末と通信する使用方法も可能である。聴診器１が接続されたスマートフォン３０が、有線ＬＡＮであるネットワークＮ３に、近距離無線通信によりアクセスポイント７１を介して接続される場合を図４に例示する。ネットワークＮ３は、医療施設、医療教育施設、介護施設など、同一施設内における通信ネットワークであり、メイン端末５２と、複数のスピーカが接続されている。複数のスピーカのうち、一部はネットワークＮ３に有線で接続されたスピーカ５２ｓであり、他はメイン端末５２と無線通信するスピーカ５３ｓである。
【００３７】
メイン端末５２は、上記の施設端末５１と同様の構成であり、聴診器１が接続されたスマートフォン３０から第一電気信号として送信された音声データを受信する手段、受信した音声データのデータ加工処理を行う手段、データ加工処理後の音声データを施設内の複数のスピーカ５２ｓ，５３ｓから出力させる手段、スマートフォン３０から送信された音声データ及びデータ加工処理後の音声データの双方または一方を補助記憶装置に記憶させる手段、データ加工処理後の音声データを第二電気信号としてスマートフォン３０に送信する手段を含む制御手段として、プロセッサを機能させるプログラムが主記憶装置に記憶されている。
【００３８】
スマートフォン３０から送信された聴診音の音声データは、メイン端末５２でデータ加工処理された後、スマートフォン３０に送信されてスピーカ２２で再生されると共に、施設内の複数のスピーカ５２ｓ，５３ｓから出力される。これにより、例えば、医療施設においてある患者（聴診対象者）から集音された聴診音について、データ加工処理前の音声データまたはデータ加工処理後の音声データを施設内のスピーカで再生し、複数の人からなる医療チームが聴いて診断をすることができる。或いは、医療教育施設において、単一の聴診対象者から集音された聴診音に基づく音声データを、複数の学生に同時に聴かせることができる。
【００３９】
更に、医療施設や介護施設において、医師や看護師等の使用者の多数が、それぞれネットワークＮ３との無線通信が可能な聴診器１で聴診を行うことにより、データ加工処理を行う手段を各聴診器１が備えていることを要することなく、メイン端末５２が備えているデータ加工処理の機能を、聴診器１の使用者の多数が利用することができる。
【００４０】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４１】
例えば、上記では、聴診器１が接続されたスマートフォン３０で近距離無線通信を行う場合について、有線ＬＡＮであるネットワークＮ３に接続されたスピーカ５２ｓから音声データを出力し、ネットワークＮ３に接続されたメイン端末５２の記憶装置に音声データを保存する場合を例示したが、これに限定されず、近距離無線通信が可能なスピーカ５３ｓに対して、スマートフォン３０から直接音声データを送信して再生させたり、近距離無線通信が可能な記憶装置５５に対して、スマートフォン３０から直接音声データを送信して保存させたりすることもできる。
【００４２】
また、聴診器１から音声データを送信するために近距離無線通信を使用するに当たり、スマートフォンが有する近距離無線通信機能を利用することなく、近距離無線通信の送信機８０に聴診器１の入出力端子２８を接続し（或いは、出力端子及び入力端子をそれぞれ接続し）、近距離無線通信の受信機を備えたスピーカ５３ｓや記憶装置５５と無線通信させることにより、聴診音の音声データを再生させたり保存させたりすることができる。
【符号の説明】
【００４３】
１  聴診器
１０  チェストピース
１１ａ，１１ｂ  イヤピース
１２  耳管
１３  接続チューブ
２１  マイクロフォン
２２  スピーカ
２８  入出力端子（出力端子、入力端子）
３０  スマートフォン（携帯電話）
３０ｂ  スマートフォン（第二の携帯電話）
Ｎ１  携帯電話通信網
【図１】
2020092810.tif 000003
【図２】
2020092810.tif 000004
【図３】
2020092810.tif 000005
【図４】
2020092810.tif 000006